(57)【特許請求の範囲】
【請求項１】
セレン含有水をｐＨ調整槽を経て鉄金属充填層に通水して還元処理する方法において、該鉄金属充填層の鉄金属と接触した鉄金属充填層からの流出水のｐＨ及び酸化還元電位を測定し、該流出水の測定値に基づきｐＨ調整槽のセレン含有水への酸添加量を増減制御して、該流出水のｐＨが５〜６であり、酸化還元電位が−５０ｍＶ以下であるよう調整した後、凝集反応槽で凝集反応し、次いで沈殿分離することを特徴とするセレン含有水の処理方法。
【発明の詳細な説明】
【０００１】
【発明の属する技術分野】
本発明は、セレン含有水の処理方法に関する。さらに詳しくは、本発明は、６価のセレンを含有する水を鉄金属充填層に通水して還元処理する方法において、充填層より流出する水の水質を測定することにより、セレン含有水の処理条件を最適に保ち、鉄金属の消耗量及び沈殿汚泥量を低減するとともに、セレンを効率的に除去することができるセレン含有水の処理方法に関する。
【０００２】
【従来の技術】
石炭火力発電所の排煙脱硫排水や石油精製工場排水は、セレンを含有する場合がある。また、セレンは工業原料として、ガラスの脱色剤や着色剤、高級顔料、鉄鋼や銅への添加剤に使われるほか、ウレタンや尿素の合成時の触媒としても使用されるので、これらの工場排水にもセレンが含有される可能性がある。セレンは排水中に高濃度に含有されることは稀であるが、環境保全のためにセレンに対する規制が行われるにいたり、排水中のセレンの処理が必要となった。さらに、平成６年８月より、水質汚濁防止法に基づくセレンの排水基準は、０.１mg／リットルと示されている。
排水中のセレンは、通常コロイド状のセレン、４価の亜セレン酸イオン（ＳｅＯ32-）又は６価のセレン酸イオン（ＳｅＯ42-）として存在することが多い。このようなセレン含有水の処理方法としては、凝集沈殿法とイオン交換法があり、Ｅｎｃｙｃｌｏｐｅｄｉａ  ｏｆ  Ｅｎｖｉｒｏｎｍｅｎｔａｌ  Ｃｏｎｔｒｏｌ  Ｔｅｃｈｎｏｌｏｇｙ（Ｇｕｌｆ  Ｐｕｂｌｉｓｈｉｎｇ  Ｃｏ．，１９９３）、第６巻、６３２頁にその概要が記載されている。凝集沈殿法によるセレン含有水の処理に関しては多くの改良法が提案されており、例えば、特開平６−７９２８６号公報には、排水に鉄塩として硫酸第一鉄又は塩化第一鉄を加えたのち中和剤を添加し、セレンを水酸化鉄フロックと共沈させて除去する方法が提案されている。しかし、この方法では最終処理水中のセレン濃度は０.２〜０.４mg／リットルにまでしか低下せず、０.１mg／リットルという排水基準を達成することができない。
また、Ｒ．Ｈ．Ｌｉｅｎ は、ＥＰＤ  Ｃｏｎｇｒ．'９０，３３４頁において、Ｃｈｅｍｉｃａｌ  ａｎｄ  Ｂｉｏｌｏｇｉｃａｌ  Ｃｙａｎｉｄｅ  Ｄｅｓｔｒｕｃｔｉｏｎ  ａｎｄ  Ｓｅｌｅｎｉｕｍ  Ｒｅｍｏｖａｌ  ｆｒｏｍ  Ｐｒｅｃｉｏｕｓ  Ｍｅｔａｌ  Ｔａｉｌｉｎｇ  Ｐｏｎｄ  Ｗａｔｅｒ と題して、セレン酸イオンを含有する排水にＦｅＳＯ4・７Ｈ2Ｏ又はＦｅＣｌ2・４Ｈ2Ｏを添加し、
Ｎａ2ＳｅＯ4＋６Ｆｅ(ＯＨ)2 → Ｓｅ0＋３Ｆｅ2Ｏ3＋２ＮａＯＨ＋５Ｈ2Ｏ
にしたがってセレン酸イオンを還元処理する方法を提案している。しかし、この方法によれば、最終処理水中のセレン濃度を０.１mg／リットル以下にするために必要なＦｅＳＯ4・７Ｈ2Ｏの添加量は２５ｇ／リットル以上となり、発生する汚泥の量が多くなるので、実用的、経済的に問題があり、現実には適用困難である。また、還元処理を効率的に行うために、あらかじめ塩酸、硫酸などを添加して酸性条件下で処理する必要がある。
本発明者らは、凝集沈殿法によって排水中のセレンを０.１mg／リットル以下に除去することが困難である原因について鋭意研究し、その原因は含有される６価のセレンの除去が困難であるため、あるいは、排水中に凝集沈殿を阻害、妨害する物質が存在するためであることを見いだした。この知見に基づき、本発明者らは、先にセレン含有水の処理方法として、pHを５以下に調整したセレン含有水を鉄金属充填層に通水し、２価イオンとして溶出した鉄によりセレン酸を、次式にしたがって還元処理する方法を提案した。
ＳｅＯ42-＋６Ｆｅ2+＋８Ｈ+ → Ｓｅ0＋６Ｆｅ3+＋４Ｈ2Ｏ
還元されたセレンを含む被処理水は、アルカリを添加してpHを７以上とすることにより、水中の鉄イオンを水不溶性の水酸化鉄とし、還元されたセレンを水酸化鉄のフロックに吸着させて凝集分離する。この方法によれば、最終処理水中のセレン濃度を安定して０.１mg／リットル以下にすることができるが、さらにセレン含有水のpH調整に必要な酸の量を減少し、中和に使用するアルカリと発生する汚泥量を低減することができる運転管理方法の開発が求められていた。
【０００３】
【発明が解決しようとする課題】
本発明は、セレンを含有する排水を鉄金属充填層に通水して還元処理する方法において、鉄金属の消耗量及び沈殿汚泥量の低減を図るとともに、セレンを効率的に除去することができるセレン含有水の処理方法を提供することを目的としてなされたものである。
【０００４】
【課題を解決するための手段】
本発明者らは、上記の課題を解決すべく鋭意研究を重ねた結果、鉄金属と接触した流出水のｐＨと２価の鉄イオン濃度又はｐＨと酸化還元電位を測定することにより、セレン含有水に添加すべき酸の量及び鉄金属充填層の管理時期を的確にモニターし得ることを見いだし、この知見に基づいて本発明を完成するに至った。
すなわち、本発明は、
（１）セレン含有水をｐＨ調整槽を経て鉄金属充填層に通水して還元処理する方法において、該鉄金属充填層の鉄金属と接触した鉄金属充填層からの流出水のｐＨ及び酸化還元電位を測定し、該流出水の測定値に基づきｐＨ調整槽のセレン含有水への酸添加量を増減制御して、該流出水のｐＨが５〜６であり、酸化還元電位が−５０ｍＶ以下であるよう調整した後、凝集反応槽で凝集反応し、次いで沈殿分離することを特徴とするセレン含有水の処理方法、
を提供するものである。
【０００５】
【発明の実施の形態】
本発明方法は、セレン含有水、特に６価のセレンを含有する水に効果的に適用することができる。このようなセレン含有水としては、例えば、セレン数mg／リットルを含有する火力発電所排水を凝集沈殿処理及び生物脱窒処理し、セレン濃度を約１mg／リットル程度としたセレン含有水などを挙げることができる。
本発明方法においては、セレン含有水に塩酸又は硫酸を添加して酸性とし、鉄金属充填層に通水することが好ましい。セレン含有水は、塩酸又は硫酸の添加により、pHを３以下とすることが好ましく、pHを２〜２.５とすることがより好ましい。セレン含有水のpHを３以下とすることにより、セレン含有水と鉄金属が接触したとき、次式により２価の鉄イオンが水中へ溶出する。
Ｆｅ＋２Ｈ+ → Ｆｅ2+＋Ｈ2
セレン含有水のpHが３を超えると、鉄イオンの溶出に時間がかかり、鉄金属充填層の通水速度を遅くして接触時間を長くする必要が生ずるおそれがある。セレン含有水のpHが２未満となるし、鉄イオンの溶出が速すぎて、鉄イオンが過剰に溶出し、いたずらに汚泥量が増加して不経済となるおそれがある。
本発明方法において、水中に溶出した２価の鉄イオンは、水中のセレン酸と反応し、セレン酸は次式にしたがって還元されると考えられる。
ＳｅＯ42-＋６Ｆｅ2+＋８Ｈ+ → Ｓｅ0＋６Ｆｅ3+＋４Ｈ2Ｏ
本発明方法においては、鉄金属充填層に通水することにより水中のセレン酸を還元したのち、流出水の凝集処理を行うことが好ましい。凝集処理の方法には特に制限はないが、アルカリ剤を添加することにより、水中の２価の鉄イオン及び３価の鉄イオンを水不溶性の水酸化第一鉄及び水酸化第二鉄とし、鉄フロックを形成して凝集することが好ましい。アルカリ剤の添加により、被処理水のpHを７以上とすることが好ましく、pHを９〜１０とすることがより好ましい。被処理水のpHが７未満であると、鉄フロックなどの凝集が不十分となるおそれがある。被処理水のpHを７以上とすることにより、次式のように、水中の２価の鉄イオンは水不溶性の水酸化第一鉄となり、３価の鉄イオンは水不溶性の水酸化第二鉄となる。
Ｆｅ2+＋２ＮａＯＨ → Ｆｅ(ＯＨ)2＋２Ｎａ+
Ｆｅ3+＋３ＮａＯＨ → Ｆｅ(ＯＨ)3＋３Ｎａ+
このとき、還元されたセレンは、生成する水酸化鉄のフロックに吸着され、凝集分離される。
【０００６】
本発明方法においては、（１）鉄金属と接触した水のpHが５〜６であり、２価の鉄イオンの濃度が１００mg／リットル以上であるよう、あるいは、（２）鉄金属と接触した水のpHが５〜６であり、酸化還元電位が−５０mV以下であるよう調整する。
２価の鉄イオンの濃度の測定法としては、比色法が知られているが、現場において簡単な操作により分析することができ、効率的で精度の高い下記の方法が好ましい。すなわち、鉄金属と接触した水約２０mlをビーカーにとり、硫酸１容量部と水２容量部の混合液１mlを加え、Ｎ／４０過マンガン酸カリウム溶液で滴定する。わずかに紅色を呈するところを終点とし、
Ａ＝１４００ａ／Ｖ
にしたがって、２価の鉄イオンの濃度を算出する。ただし、ａは滴定に要したＮ／４０過マンガン酸カリウム溶液量（ml）、Ｖは検水量（ml）、Ａは２価の鉄イオン濃度（mg／リットル）である。
本発明方法において、鉄金属と接触した水のpH及び２価の鉄イオン濃度を管理することにより、セレンの処理を確実に行うことができる。水のpHが５〜６であり、２価の鉄イオン濃度が１００mg／リットル以上であれば、処理水中のセレン濃度は、規制値である０.１mg／リットル以下となる。しかし、２価の鉄イオン濃度は、検水をサンプリングし分析しなければならないので、より簡便には、鉄金属と接触した水のpH及び酸化還元電位を管理することにより、セレンの処理を行うことができる。水のpHが５〜６であり、酸化還元電位が−５０mV以下であれば、処理水中のセレン濃度は、通常は規制値である０.１mg／リットル以下となる。pH及び酸化還元電位は、鉄金属充填層から流出する水の配管内に、pH計及び酸化還元電位計のセンサを設置することにより、簡便かつ連続的に測定することができる。
【０００７】
鉄金属充填層と接触した水中の２価の鉄イオン濃度と酸化還元電位の間には相関関係があり、２価の鉄イオン濃度１００mg／リットル以上が通常は酸化還元電位−５０mV以下に対応する。ただし、酸化還元電位は、水中の共存物質の濃度の変化などにより必ずしも２価の鉄イオン濃度と対応しない場合もあるので、日常的にはpH及び酸化還元電位により管理し、必要に応じて２価の鉄イオン濃度を分析して確認することが好ましい。原水の水質変動が比較的少ない場合には、pH及び酸化還元電位の測定により十分管理することができる。
本発明方法において、鉄金属充填層と接触した水のpHが５〜６の範囲を外れかつ２価の鉄イオン濃度が１００mg／リットル未満となったとき、あるいは、pHが５〜６の範囲を外れかつ酸化還元電位が−５０mVを超えた場合には、鉄金属充填層との接触工程の異常を検査する。鉄金属充填層との接触工程の異常としては、原水への酸の注入量の過不足、鉄金属充填層の汚染、鉄金属充填層の短絡通水、鉄金属充填層の鉄量不足などがある。原水への酸の注入量が不足すると、鉄の溶解量が不足し、２価の鉄イオン濃度が１００mg／リットル未満となり、あるいはpHが６を超える。原水への酸の注入量が過剰であると、pHが５未満となる。鉄金属充填層が汚染すると、２価の鉄イオンの溶出が起こりにくく、２価の鉄イオン濃度が１００mg／リットル未満となり、同時に酸が消費されないので、pHが５未満となる。鉄金属充填層に短絡通水が起こると、２価の鉄イオンの溶出が不足し、２価の鉄イオン濃度が１００mg／リットル未満となり、同時に酸が消費されないので、pHが５未満となる。鉄金属充填層の鉄量が不足すると、２価の鉄イオンの溶出が不足し、２価の鉄イオン濃度が１００mg／リットル未満となり、同時に酸が消費されないので、pHが５未満となる。
【０００８】
本発明方法において、pH又は２価の鉄イオン濃度のいずれかが管理限界を外れたとき、あるいは、pH又は酸化還元電位のいずれかが管理限界を外れたときは、鉄金属充填層との接触工程を検査し、適切な処置をとることが好ましい。通常は、鉄金属充填層から流出する水のpH及び酸化還元電位を測定し、管理限界を外れたときは先ず酸の注入量を増加し、さらに管理限界を外れたときは鉄金属充填層の洗浄を行うことが好ましい。鉄金属充填層の洗浄方法には特に制限はなく、例えば、鉄金属充填層に洗浄水を通じて酸を添加した原水を洗浄水により置換したのちに、洗浄水と空気の混合流を上向流で供給し、鉄金属充填層の汚染物質を除去することができる。このような洗浄方法により、鉄金属充填層は展開、流動化し、洗浄水と空気の混合流を停止することにより、沈静化してふたたび鉄金属充填層が形成されるので、鉄金属充填層の短絡通水も解消する。鉄金属充填層の鉄量が不足した場合は、鉄金属を補充する。pH及び酸化還元電位の測定により管理する場合は、酸注入量の増加、鉄金属充填層の洗浄及び鉄金属の補充を、測定値と連動して自動化することができる。
図１は、本発明の実施の一態様を示す工程系統図である。pH調整槽１に原水を受け入れ、塩酸を加えてpH調整を行う。pH調整槽には、pH計２を設置する。pH調整した水は、ポンプ３により鉄金属充填槽４に送り、鉄金属と接触せしめる。鉄金属充填槽より流出する水の配管内に、pH計５及び酸化還元電位計６を設置し、pH及び酸化還元電位を連続的に測定する。また、この配管にはサンプリングバルブ７を設け、必要に応じて検水をサンプリングして２価の鉄イオン濃度の分析を行う。鉄金属充填槽から流出した水は、凝集反応槽８へ導き、水酸化ナトリウムを添加して、溶解している鉄イオンを水不溶性の水酸化鉄とし、還元されたセレンとともに凝集沈殿せしめる。この水は、さらに沈殿分離槽９において凝集沈殿物を沈降分離し、必要に応じて上澄水にpH調整を行って処理水とする。
本発明方法によれば、６価のセレンを含む排水を鉄金属充填層に通水し、鉄金属と接触することにより６価のセレンを還元処理する方法において、pHと２価の鉄イオン濃度又はpHと酸化還元電位を測定することにより、排水に注入する酸の量、鉄金属充填層の洗浄、鉄金属の補充などを制御し、経済的、かつ安定したセレンの除去が可能となる。
【０００９】
【実施例】
以下に、実施例を挙げて本発明をさらに詳細に説明するが、本発明はこれらの実施例によりなんら限定されるものではない。
参考例１（凝集沈殿及び生物脱窒による火力発電所排水の処理）
図２に示す工程により、火力発電所排水の処理を行った。
貯槽１０より流出する火力発電所排水は、pH６.５であり、ＳＳ５００mg／リットル、鉄１０mg／リットル、鉛１.０mg／リットル、マンガン８.５mg／リットル、フッ素５０mg／リットル、全窒素６５mg／リットル及びセレン２.５mg／リットルを含有していた。
この排水を第１凝集反応槽１１に導き、硫酸バンド１００mg／リットル及びアニオン性高分子凝集剤０.５mg／リットルを添加し撹拌したのち、第１沈殿池１２において固液分離を行った。第１沈殿池の上澄水を第２凝集反応槽１３に導き、ソーダ灰５００mg／リットルを添加し、水酸化ナトリウムをpHが８.５になるように添加したのち、第２沈殿池１４において固液分離を行った。第２沈殿池の上澄水は、pH７.２であり、ＳＳ３０mg／リットル、鉄０.１mg／リットル以下、鉛０.１mg／リットル以下、マンガン０.１mg／リットル以下、フッ素３０mg／リットル、全窒素６０mg／リットル及びセレン２.１mg／リットルを含有していた。
第２沈殿池の上澄水を、硝化槽１５及び脱窒槽１６へ通水処理し、さらに沈殿分離槽１７においてＳＳを除去した。沈殿槽の汚泥は、一部を硝化槽へ返送した。沈殿槽より上澄水として流出する脱窒処理水は、pH７.５であり、ＳＳ５mg／リットル、鉄０.１mg／リットル以下、鉛０.１mg／リットル以下、マンガン０.１mg／リットル以下、フッ素１０mg／リットル以下、全窒素１０mg／リットル及びセレン０.８mg／リットルを含有していた。
実施例１
参考例１で得られたpH７.５であり、セレン０.８mg／リットルを含有する脱窒処理水を原水として、さらに図１に示す工程によって処理した。
容量２リットルのpH調整槽において、原水に塩酸を３００mg／リットル注入してpH２.５に調整した。この水を、ポンプにより直径０.６mmの鉄金属粒子２００ml（約１,０００ｇ）を充填したカラムに上向流で通水速度４リットル／hr、すなわちＳＶ２０hr-1で通水し、流出する水を容量２リットルの反応槽に導いた。流出する水のpHは５.５であり、酸化還元電位は−２００mV、２価の鉄イオン濃度は１５０mg／リットルであった。
反応槽において、水酸化ナトリウム３００mg／リットルを注入してpH９に調整し、凝集反応を行った。その後、容量５リットルの沈殿分離槽に導き固液分離を行った。沈殿分離槽の上澄水に塩酸を加えて中和し、処理水を得た。処理水は、pH７であり、セレン濃度は０.０３mg／リットルであった。
比較例１
pH調整槽において原水に注入する塩酸を１００mg／リットルとした以外は、実施例１と同様な操作を繰り返した。塩酸１００mg／リットルを注入した原水のpHは、３.０であった。
鉄金属粒子を充填したカラムより流出する水のpHは５.８であり、酸化還元電位は−３０mVであり、２価の鉄イオン濃度は６０mg／リットルであった。
反応槽において、水酸化ナトリウム２００mg／リットルを注入してpH９に調整し、実施例１と同様に処理した。処理水はpH７であり、セレン濃度は０.１１mg／リットルであった。
pH調整槽において注入する塩酸の量を３００mg／リットルに増加して通水を続け、実施例１と同様に処理したところ、処理水中のセレン濃度は０.０３mg／リットルになった。このとき、鉄金属粒子を充填したカラムより流出する水のpHは５.６であり、酸化還元電位は−２００mVであり、２価の鉄イオン濃度は１５０mg／リットルであった。
実施例１及び比較例１の結果を、第１表に示す。
【００１０】
【表１】
0003981843.tif 000002
【００１１】
原水に塩酸３００mg／リットルを注入した実施例１においては、カラム流出水のpHが５.５、酸化還元電位が−２００mV、２価の鉄イオン濃度が１５０mg／リットルであり、その結果、処理水中のセレン濃度は０.０３mg／リットルとなっている。これに対して、原水に塩酸１００mg／リットルを注入した比較例１においては、カラム流出水のpHは５.８であるが、酸化還元電位が−３０mVと高く、２価の鉄イオン濃度が６０mg／リットルと低く、その結果、処理水中のセレン濃度は０.１１mg／リットルとなっている。しかし、比較例１において、原水への塩酸の注入量を３００mg／リットルに増すと、カラム流出水のpHは５.６、酸化還元電位は−２００mV、２価の鉄イオン濃度は１５０mg／リットルとなり、処理水中のセレン濃度は０.０３mg／リットルとなった。すなわち、カラム流出水のpHと酸化還元電位又は２価の鉄イオン濃度を測定して、原水への塩酸の注入量を制御することにより、処理水中のセレン濃度を低く保つことができる。
実施例２
実施例１の通水試験を７０時間継続したところ、処理水中のセレン濃度が０.１５mg／リットルに上昇した。このとき鉄金属充填カラムから流出する水のpH４.８、酸化還元電位−１０mV、２価の鉄イオン濃度は１００mg／リットルであった。
塩酸注入量を４００mg／リットルに増加したところ、処理水中のセレン濃度は０.０５mg／リットルとなった。このとき、カラム流出水のpHは５.４、酸化還元電位−１２０mV、２価の鉄イオン濃度１３０mg／リットルであった。しかし、このまま８０時間通水を継続すると、処理水中のセレン濃度は０.１２mg／リットルとなった。このとき、カラム流出水のpH４.９、酸化還元電位−５０mV、２価の鉄イオン濃度は１１０mg／リットルであった。
この時点で通水をとめ、鉄金属充填層に工業用水を上向流で通水して洗浄し、さらに工業用水と空気の混合流を上向流で供給して鉄金属粒子の充填層の汚染物質を除去したのち、再び塩酸の注入量を３００mg／リットルとして、実施例１と同じ条件で通水した。処理水中のセレン濃度は０.０５mg／リットルとなり、セレン除去性能は回復していた。このとき、カラム流出水のpH５.５、酸化還元電位−２００mV、２価の鉄イオン濃度１４０mg／リットルであった。
実施例２の結果を、第２表に示す。
【００１２】
【表２】
0003981843.tif 000003
【００１３】
第２表の結果から、セレンを含む排水に塩酸を一定量注入し、鉄金属充填層へ通水して６価セレンを還元する反応は、流出水のpHと酸化還元電位又は２価の鉄イオン濃度を測定することによって、処理水中のセレン濃度が規制値である０.１mg／リットル以下を達成できるか否か、モニターすることが可能であることが分かる。
実施例３
通水を鉄金属の充填量が不足するまで長期間継続し、鉄金属と接触した水のpH、酸化還元電位及び２価の鉄イオン濃度を測定し、さらに処理水中のセレン濃度を測定した。
セレン０.５mg／リットルを含む水に塩酸を３５０mg／リットル注入し、鉄金属粒子２００mlを充填したカラムに上向流で通水速度ＳＶ２０hr-1で通水し、カラム流出水に水酸化ナトリウムを加えてpH９に調整し、凝集沈殿分離した。通水は、４４日間継続した。
カラム流出水のpH、酸化還元電位、２価の鉄イオン濃度及び処理水中のセレン濃度を第３表に示す。
【００１４】
【表３】
0003981843.tif 000004
【００１５】
第３表の結果から、カラム流出水のpHが５未満となると、処理水中のセレン濃度が０.１mg／リットルを超えることが分かる。また、カラム流出水の酸化還元電位と２価の鉄イオン濃度の間には、おおむね相関関係がある。本実施例の場合、通水３５日目に鉄金属粒子を補給すれば、安定してセレンを含有する水の処理を継続することができると推定される。
【００１６】
【発明の効果】
本発明方法によれば、鉄金属と接触した水のpHと２価の鉄イオン濃度又はpHと酸化還元電位を管理することにより、排水に含まれるセレンを効率的に除去し、セレンの規制値０.１mg／リットル以下の処理水を安定して得ることができる。また、pH調整剤、凝集剤などの薬剤使用量に無駄がなく、汚泥発生量が少なく、経済的に処理を行うことができる。
【図面の簡単な説明】
【図１】図１は、本発明の実施の一態様を示す工程系統図である。
【図２】図２は、参考例に用いた凝集沈殿及び生物脱窒による火力発電所排水の処理工程図である。
【符号の説明】
１  pH調整槽
２  pH計
３  ポンプ
４  鉄金属充填槽
５  pH計
６  酸化還元電位計
７  サンプリングバルブ
８  凝集反応槽
９  沈殿分離槽
１０  貯槽
１１  第１凝集反応槽
１２  第１沈殿池
１３  第２凝集反応槽
１４  第２沈殿池
１５  硝化槽
１６  脱窒槽
１７  沈殿分離槽
【図１】
0003981843.tif 000005
【図２】
0003981843.tif 000006